(57)【要約】  乾燥すると本質的に疎水性のフィルムを形成する、コーティング組成物を含む殺菌性コーティング。前記コーティング組成物は、殺菌性複合体Ａ−Ｂ（ここでＡはフェノール性殺菌剤であり、Ｂはポリビニルピロリドン（「ＰＶＰ」）、ＰＶＰポリマー、ＰＶＰコポリマー、及びこれらの混合物から選択される）を含む。前記コーティング組成物は、例えばアクリルポリマーベースの組成物、メタクリルポリマーベースの組成物、アクリルコポリマーベースの組成物、メタクリルコポリマーベースの組成物、ビニルポリマーベースの組成物、ビニルコポリマーベースの組成物、エポキシ樹脂、エポキシエステル、及びこれらの混合物から選択される。本発明における使用に適当な殺菌剤は、以下に限定されないが、ＰＶＰもしくはＰＶＰコポリマーとトリクロサン；ジクロサン；ジクロロフェン；オルトフェニルフェノール；オルトベンジルパラクロロフェノール、クレゾール、キシロール、及び置換ジフェニルエーテルとの複合物を含む。【特許請求の範囲】
【請求項１】
乾燥すると本質的に疎水性のフィルムを形成するフィルム形成性組成物を含み、且つ殺菌性複合体Ａ−Ｂを含み、ここでＡはフェノール性殺菌剤であり、Ｂはポリビニルピロリドン、ポリビニルピロリドンポリマー、ポリビニルピロリドンコポリマー、及びこれらの混合物から選択される、殺菌性コーティング組成物。
【請求項２】
アクリルポリマーベースの組成物、メタクリルポリマーベースの組成物、アクリルコポリマーベースの組成物、メタクリルコポリマーベースの組成物、ビニルポリマーベースの組成物、ビニルコポリマーベースの組成物、エポキシ樹脂、エポキシエステル、及びこれらの混合物から選択される、請求項１に記載の殺菌性コーティング組成物。
【請求項３】
静菌特性を有する、請求項１に記載の殺菌性コーティング組成物。
【請求項４】
静真菌特性を有する、請求項１または２に記載の殺菌性コーティング組成物。
【請求項５】
前記フィルム形成性組成物が、エマルションもしくはラテックス組成物である、請求項１乃至４のいずれか一項に記載の殺菌性コーティング組成物。
【請求項６】
前記フィルム形成性組成物が、ポリマーもしくはコポリマー溶液である、請求項１乃至５のいずれか一項に記載の殺菌性コーティング組成物。
【請求項７】
前記フィルム形成性組成物が、ポリマーもしくはコポリマーエマルションである、請求項１乃至５のいずれか一項に記載の殺菌性コーティング組成物。
【請求項８】
前記フィルム形成性組成物が、水ベースのポリマーもしくはコポリマーエマルションである、請求項７に記載の殺菌性コーティング組成物。
【請求項９】
前記フィルム形成性組成物が、アクリルポリマーもしくはアクリルコポリマーであるかまたはこれを含む、請求項１乃至８のいずれか一項に記載の殺菌性コーティング組成物。
【請求項１０】
前記フィルム形成性組成物が、アクリル−スチレンコポリマーであるかまたはこれを含む、請求項１乃至９のいずれか一項に記載の殺菌性コーティング組成物。
【請求項１１】
前記フィルム形成性組成物が、エポキシもしくはエポキシエステルであるかまたはこれを含む、請求項１乃至１０のいずれか一項に記載の殺菌性コーティング組成物。
【請求項１２】
前記フィルム形成性組成物が、酢酸ビニルアクリルコポリマーを含む、請求項１乃至１１のいずれか一項に記載の殺菌性コーティング組成物。
【請求項１３】
前記フィルム形成性組成物が、混合物の３０乃至８０％ w/wの量で存在する、請求項１乃至１２のいずれか一項に記載の殺菌性コーティング組成物。
【請求項１４】
前記フィルム形成性組成物が、混合物の４０乃至７０％ w/wの量で存在する、請求項１乃至１３のいずれか一項に記載の殺菌性コーティング組成物。
【請求項１５】
前記フィルム形成性組成物が、混合物の５０乃至６０％ w/wの量で存在する、請求項１乃至１４のいずれか一項に記載の殺菌性コーティング組成物。
【請求項１６】
前記殺菌剤Ａが、トリクロサン；ジクロサン；ジクロロフェン；オルトフェニルフェノール；オルトベンジルパラクロロフェノール、クレゾール、キシロール、及び置換ジフェニルエーテルからなる群より選択される、請求項１乃至１５のいずれか一項に記載の殺菌性コーティング組成物。
【請求項１７】
前記殺菌剤Ａが、ハロゲン化フェノール性殺菌剤である、請求項１乃至１６のいずれか一項に記載の殺菌性コーティング組成物。
【請求項１８】
前記殺菌剤Ａが、トリクロサンである、請求項１乃至１７のいずれか一項に記載の殺菌性コーティング組成物。
【請求項１９】
前記殺菌性複合物Ａ−Ｂが、水溶性でない、請求項１乃至１８のいずれか一項に記載の殺菌性コーティング組成物。
【請求項２０】
前記殺菌剤Ａが、混合物の０．５乃至５％ w/wの量で存在する、請求項１乃至１９のいずれか一項に記載の殺菌性コーティング組成物。
【請求項２１】
前記殺菌剤Ａが、混合物の１乃至２％ w/wの量で存在する、請求項１乃至２０のいずれか一項に記載の殺菌性コーティング組成物。
【請求項２２】
前記殺菌剤Ａが、混合物の１．５％ w/wの量で存在する、請求項１乃至２１のいずれか一項に記載の殺菌性コーティング組成物。
【請求項２３】
前記Ｂが、ポリビニルピロリドンである、請求項１乃至２２のいずれか一項に記載の殺菌性コーティング組成物。
【請求項２４】
前記Ｂが、ポリビニルピロリドン／酢酸ビニルコポリマーである、請求項１乃至２３のいずれか一項に記載の殺菌性コーティング組成物。
【請求項２５】
前記Ｂが、混合物の２乃至１０％の量で存在する、請求項１乃至２４のいずれか一項に記載の殺菌性コーティング組成物。
【請求項２６】
前記Ｂが、混合物の３乃至８％の量で存在する、請求項１乃至２５のいずれか一項に記載の殺菌性コーティング組成物。
【請求項２７】
前記Ｂが、混合物の約５％の量で存在する、請求項１乃至２６のいずれか一項に記載の殺菌性コーティング組成物。
【請求項２８】
混合物の２５乃至４０％の量で溶媒を含む、請求項１乃至２７のいずれか一項に記載の殺菌性組成物。
【請求項２９】
前記溶媒が、混合物の２５乃至３５％の量で存在する、請求項２８に記載の殺菌性組成物。
【請求項３０】
前記溶媒が、水である、請求項２８または２９に記載の殺菌性組成物。
【請求項３１】
請求項２８乃至３０のいずれか一項に記載の殺菌性組成物であって、該コーティング組成物の溶媒よりも高沸点を有する水溶性極性溶媒をさらに含む組成物。
【請求項３２】
前記高沸点極性溶媒が、ポリマーエマルションまたはラテックス中での前記複合体Ａ−Ｂの分散を補助する、請求項３１に記載の殺菌性組成物。
【請求項３３】
前記水溶性極性溶媒が、N-メチルピロリドン、グリコールエーテル、及びこれらの混合物から選択される、請求項３１または３２に記載の殺菌性組成物。
【請求項３４】
請求項１乃至３３のいずれか一項に記載の殺菌性コーティング組成物のフィルムもしくは薄膜を乾燥させる工程によって形成される、殺菌性コーティング。
【請求項３５】
１年以上に亘ってその表面上での生物膜成長の予防に有効である、請求項３４に記載の殺菌性コーティング。
【請求項３６】
３年以上に亘ってその表面上での生物膜成長の予防に有効である、請求項３５に記載の殺菌性コーティング。
【請求項３７】
金属に適用される、請求項３４乃至３６のいずれか一項に記載の殺菌性コーティング。
【請求項３８】
コンクリートもしくはセメント表面に適用される、請求項３４乃至３６のいずれか一項に記載の殺菌性コーティング。
【請求項３９】
木材表面に適用される、請求項３４乃至３６のいずれか一項に記載の殺菌性コーティング。
【請求項４０】
装飾性コーティングの形態である、請求項３４乃至３９のいずれか一項に記載の殺菌性コーティング。
【請求項４１】
カビ成長を予防する塗料の形態である、請求項３４乃至４０のいずれか一項に記載の殺菌性コーティング。
【請求項４２】
懸濁剤、チキソトロピー剤、フローもしくは粘度調整剤、保存料などからなる群より選択される塗料成分をさらに含む塗料の形態である、請求項３４乃至４１のいずれか一項に記載の殺菌性コーティング。
【請求項４３】
腐食抑制剤からなる群より選択される塗料成分をさらに含む塗料の形態である、請求項３４乃至４２のいずれか一項に記載の殺菌性コーティング。
【請求項４４】
顔料をさらに含む塗料の形態である、請求項３４乃至４３のいずれか一項に記載の殺菌性コーティング。
【請求項４５】
生物膜形成に非耐性である表面上における生物膜形成の抑制方法であって、前記表面への請求項１乃至１３のいずれか一項に記載の組成物のコーティングを適用する工程、及び前記組成物を乾燥させるもしくは風乾させる工程を含む方法。
【請求項４６】
前記表面が、エアーコンディショニング表面である、請求項４５に記載の方法。
【請求項４７】
前記表面が、エアーコンディショニング冷却板である、請求項４５に記載の方法。
【請求項４８】
前記表面が、エアーコンディショニング冷却孔である、請求項４５に記載の方法。
【請求項４９】
前記表面が、手術室の非耐性表面である、請求項４５に記載の方法。
【請求項５０】
前記組成物を、前記表面に焼き付けするかまたは高温で乾燥させる、請求項４５乃至４９のいずれか一項に記載の方法。
【請求項５１】
請求項１乃至３３のいずれか一項に記載の組成物を用いて、または請求項４５乃至５０のいずれか一項に記載の方法に従って処理された表面。
【発明の詳細な説明】
【技術分野】
【０００１】
本発明は、湿ったもしくは濡れた表面上での生物膜形成の低減または予防のための方法及び組成物、とりわけエアーコンディショニングシステム近辺での病原体の低減に関する。本発明は、主としてエアーコンディショニング（クーラー及びヒーターを含む）システムにおける使用のために開発されており、以下にこの利用分野に関して説明される。しかしながら、本発明が、表面の生物膜形成または微生物コロニー形成を抑制することが望まれる、他の状況においても適用可能であることが認識される。
【背景技術】
【０００２】
オフィス、住居、ヘルスケア、及び他の建物内に通常設けられているものなどのエアーコンディショニングシステムは、しばしば湿ったもしくは濡れた表面を有する部品を含む。良い例は、複数の熱交換フィンを含みうるエアーコンディショナー冷却器であって、例えばアルミニウムで構成され、再循環冷却剤との熱伝導性接続により冷却されるものである。冷却しようとする高温の空気がフィンを通過すると、空気中の湿分がフィン表面で凝縮されて排出される。前記冷却器の熱交換表面が水の再循環性薄膜によって冷却される場合もある。
【０００３】
冷却表面は、典型的には大きな面積の、湿ったもしくは濡れたものであり、空気により担持され且つ前記表面上に生物膜を形成する微生物の固定及び成長のために理想的な環境を提供する。前記微生物には、前記表面上で増殖する細菌及び真菌が含まれる。数ヶ月の間に、隣り合う熱交換表面間の空間は生物膜成長により完全に閉塞されうる。
【０００４】
生物膜は、効力を低下させ、且つ重大な健康上の危険性を提示する。前記生物膜が熱転移特性に乏しいことから効力が失われ、このため冷却器の熱効率が低下する。酸性の細菌滲出物が深刻な腐食を引き起こしうるため、また部品表面及び部品内のバイオマスの増大が気流を減少させてシステム中への背圧を増大させうるため、短時間の使用の後にメンテナンスクリーニングを要するため、微生物活性もまたシステムの耐用年数を短縮しうる。
【０００５】
生物膜の存在により、健康上の危険が生じる一方で、真菌、細菌、ウィルス、アレルゲン、酵母、及びカビなどの病原体の更なる蓄積及び更なる成長のための安息所が提供される。こうした生物の成長のための条件は、システム停止中、例えば夜間に起こりうるような、但し通常の操作中にも起こりうる、高湿度の期間中に特に有利である。前記生物の存在は、ヒト及び動物に疾患または死亡を引き起こし、臭気を発生し、且つ様々な物質を破損もしくは破壊しうるために、非常に望ましくない。
【０００６】
ヒトの健康及び安全の点で特に懸念されるのは、真菌及び細菌細胞壁の破壊成分であって、且つヒト呼吸性アレルゲンであることが既知の、内毒素及びマイコトキシンである。これらが喘息の発作を誘発しうる個人が存在することに加え、これらは全ての場合において免疫反応を引き起こすことが判明している。これは現在では、一定期間の曝露の後には、アンタゴニストに反応する免疫システムの能力を低下させ、被験者を細菌、ウィルスなどにより感染し易くすると考えられている。同じく懸念されるのは、真菌類の胞子、細菌類の胞子、及び細菌である。
【０００７】
病院及びナーシングホームなどのヘルスケア施設では、多くの患者が、その主たるヘルスケア上の問題のために衰弱した状態にあることから、バイオマスからの内毒素及びマイコトキシンの放出の望ましからぬ結果が悪化する。健康な人には重大な脅威とはならないであろう微生物が、感染から自身を防衛する能力が低減した患者にとっては致命的となりうる。病原性微生物が調整空気または換気立杭を経て建物に入り込むことができるならば、これらは前記建物中を迅速に循環可能であり、このため感染及び疾患が蔓延する可能性が大幅に増大することから、公共の建物などの他の環境にも、更なる注意が払われている。エアーコンディショニングシステム中での胞子の発芽及び微生物生存の防止は、病気及び過敏症反応の危険性の低減に役立つであろう。
【０００８】
今日まで、バイオマス成長防止の有効な手段はなく、この問題に対処する唯一の手段は周期的な清掃であったが、これは重労働、非経済的、且つ不便であり、清掃作業の間の時期の健康上の懸念に十分に対応するものではない。様々なコーティング材が提案されているが、有益な期間に亘って湿潤条件に耐えうるか、もしくは生物膜形成防止の有効性を維持しうるものはなかった。
【発明の開示】
【発明が解決しようとする課題】
【０００９】
本発明の目的は、従来技術の少なくとも１つの欠陥を解消または改善すること、あるいは有用な代替物を提供することである。
【００１０】
世界の多くの地域で、建物内で加熱しフィルターを通した空気をセントラルヒーティングの手段として用いている。こうしたシステムはエアーコンディショニングについて上述したものと同様の危険性に寄与しており、本発明がいかなる特定の種類のフィルターもしくは気流システムに限定されるものではないことが理解されるであろう。
【課題を解決するための手段】
【００１１】
第一の態様によれば、本発明は、乾燥すると本質的に疎水性のフィルムを形成するフィルム形成性組成物を含み、且つ殺菌性複合体Ａ−Ｂ（ここでＡはフェノール性殺菌剤であり、Ｂはポリビニルピロリドン、ポリビニルピロリドンポリマー、ポリビニルピロリドンコポリマー、及びこれらの混合物から選択される）を含む殺菌性コーティング組成物を提供する。
【００１２】
状況によって明らかに別の要求がない限りにおいては、発明の詳細な説明及び特許請求の範囲の全般に亘って「含む」、「含んでいる」等の語は、排他的もしくは徹底的な意味に対しての包括的な意味で、すなわち、「以下を含むがこれに限定されない」との意味に解釈する。
【００１３】
第二の態様によれば、本発明は、第一態様による殺菌性コーティング組成物を提供するが、前記コーティング組成物は、アクリルポリマーベースの組成物、メタクリルポリマーベースの組成物、アクリルコポリマーベースの組成物、メタクリルコポリマーベースの組成物、ビニルポリマーベースの組成物、ビニルコポリマーベースの組成物、エポキシ樹脂、エポキシエステル、及びこれらの混合物から選択される。
【００１４】
好ましくは、前記コーティング組成物は静菌及び／または静真菌特性を有する。
【００１５】
前記フィルム形成性組成物は、エマルションもしくはラテックス、ポリマーもしくはコポリマー溶液、またはポリマーもしくはコポリマーエマルションをベースとするものであって良い。前記フィルム形成性組成物は、水ベースのポリマーもしくはコポリマーエマルションであって良い。
【００１６】
好ましくは、前記フィルム形成性組成物は、アクリルポリマー、アクリルコポリマー、アクリルポリマーの混合物、アクリルコポリマーの混合物、またはアクリルポリマーとコポリマーとの混合物であるか、前記いずれかを含む。より好ましくは、前記フィルム形成性組成物は、アクリル−スチレンコポリマーであるか、またはこれを含む。
【００１７】
前記フィルム形成性組成物は、エポキシもしくはエポキシエステルであってよく、またはこれらいずれかを含む。
【００１８】
非常に好ましいコーティング組成物は、水ベースのポリマーもしくはコポリマーエマルションもしくはラテックス組成物であり、とりわけエポキシエステルを含むものである。
【００１９】
前記フィルム形成性組成物は、酢酸ビニルアクリルコポリマーであってよく、またはこれを含む。
【００２０】
好ましくは、前記フィルム形成性組成物は、混合物の３０乃至８０％w/wの量で存在し、さらに好ましくは前記フィルム形成性組成物は、混合物の４０乃至７０％w/wの量で存在し、さらに好ましくは前記フィルム形成性組成物は、混合物の５０乃至６０％w/wの量で存在する。
【００２１】
殺菌性複合体Ａ−Ｂに使用される好ましい殺菌剤は、トリクロサン；ジクロサン；ジクロロフェン；オルトフェニルフェノール；オルトベンジルパラクロロフェノール、クレゾール、キシロール、及び置換ジフェニルエーテルである。
【００２２】
さらに好ましくは、殺菌剤Ａは、ハロゲン化フェノール性殺菌剤、好ましくはクロロフェノール性殺菌剤であり、最も好ましくは殺菌剤Ａはトリクロサンである。
【００２３】
好ましくは、殺菌剤Ａは混合物の０．５乃至５％w/wの量で、より好ましくは混合物の１乃至２％w/wの量で、さらにより好ましくは混合物の１．５％w/wの量で存在する。
【００２４】
好ましくは、複合対象Ｂはポリビニルピロリドンであり、または例えばポリビニルピロリドン／酢酸ビニルコポリマーであっても良い。
【００２５】
好ましくは、Ｂは混合物の２乃至１０％の量で存在し、より好ましくはＢは混合物の３乃至８％の量で、さらにより好ましくはＢは混合物の約５％の量で存在する。好ましくは、前記静生物性（biostatic）組成物は、混合物の２０乃至４０％の、より好ましくは混合物の２５乃至３５％の量で溶媒を含む。
【００２６】
親水性フィルム形成性ポリビニルピロリドンポリマーもしくはコポリマー中にＰＶＰ／フェノール複合体を混合し、これにより前記複合体が食品調製物表面などの清浄化のための紙もしくは織物の含浸ワイプにゆるく結合させることが実践されている。前述の応用では、前記複合体はワイプ基体から容易に浸出し、清浄化／消毒しようとする表面上で容易に細菌と接触することができる。前記複合体は前記表面上で長期に亘る効果を有さず、前記ワイプはおよそ１２回の洗浄の後には廃棄されねばならない。したがって、、例えば金属または石造の表面に適用されるコーティング組成物にＰＶＰ複合体を混入すると、コーティングポリマーが殺菌剤をカプセル封入して微生物を殺菌剤との接触から保護することが予想されるところ、本出願人は驚くべきことに、ポリマーコーティングされた表面上での生物膜成長が著しく抑制されることを発見した。本発明による複合体を含むコーティングが、従前にはバイオマス成長が主要な問題であった環境において、３年を超える期間に亘ってコーティングされた金属表面上でのバイオマス成長を回避したことはいっそう驚くべきである。これほど長期間に亘って、これほど低濃度の殺菌剤が有効であることもまた驚くべきである。
【００２７】
ＰＶＰ／フェノール複合体は水溶性ではなく、そのコーティング組成物中への混入は単純ではないことが認識されるであろう。これは、水ベースのエマルションコーティング組成物の場合には、水相中に前記複合体を水溶性高沸点極性溶媒（例えばN-メチルピロリドンまたはグリコールエーテル）と共に分散させることによって達成されている。コーティングを適用した後、水が蒸発するにつれ、高沸点極性溶媒の相対濃度が増大し、臨界点において殺菌性複合体を溶解し、よって前記殺菌剤がフィルム全般に均一に分配される。水が好ましい媒体である一方で、溶媒ベースのコーティング組成物中への分散も同様に達成可能であることが理解されるであろう。
【００２８】
第三の態様によれば、本発明は第一または第二の態様に従い、さらに該コーティング組成物の溶媒よりも高い沸点を有する水溶性極性溶媒を含む殺菌性組成物を提供する。
【００２９】
好ましくは、前記高沸点極性溶媒はポリマーエマルションまたはラテックス中での複合体Ａ−Ｂの分散を補助する。好ましくは、前記水溶性極性溶媒は、N-メチルピロリドン、グリコールエーテル、及びこれらの混合物から選択される。
【００３０】
本発明によるコーティングは、バイオマス成長に非耐性の部品の表面、例えばエアコンディショニング冷却板、通気孔、及びその他の表面、例えば手術室の非耐性表面の保護コーティングとして、前記表面上での生物膜の形成を予防するために使用して良い。本発明によるコーティングは、（金属、石造、木造、パーティクルボード、及び他の建物及び建築材の表面に限定されることなく）適用して良い。前記表面上に焼き付けるかまたは高温で乾燥させることが望ましい組成物もある。
【００３１】
第三の態様によれば、本発明は、前述の態様のいずれか１つによる殺菌性コーティング組成物のフィルムもしくは薄膜を乾燥させることによって形成される殺菌性コーティングを提供する。
【００３２】
前記コーティングは、好ましくは１年以上に亘ってその表面上での生物膜成長の回避に有効であり、より好ましくは３年以上に亘ってその表面上での生物膜成長の回避に有効である。
【００３３】
前記コーティングは、金属、コンクリート、もしくはセメント（cementituous）表面、または木材表面に適用して良い。
【００３４】
前記コーティングは、装飾的コーティングの形態で適用しても良い。一例としては、カビ成長防止のための塗料の形態がある。こうした塗料は、懸濁剤、チキソトロピー剤、フローもしくは粘度調整剤、保存料などからなる群より選択される塗料成分をさらに含むことができる。他の塗料成分は、腐食抑制剤及び／または顔料からなる群より有利に選択して良い。
【００３５】
然るに、企図する最終用途によって、本発明による組成物は着色されていてよく、その場合は通常、懸濁剤、チキソトロピー剤、フローもしくは粘度調整剤、保存料などの別の塗料成分を含む。前記組成物は、必ずしも着色されていなくてもよく、腐食抑制剤及びフィルム形成性コーティング剤に有用であることが知られた別の添加剤を含んで良い。
【００３６】
処理は静菌性または静真菌性であれば十分であることが理解されるであろう。すなわち、処理剤がコロニー化された表面上で生物を殺すよりもむしろ、表面上でコロニー形成を抑止すれば十分である。
【００３７】
第四の態様によれば、本発明は、生物膜形成に非耐性の表面上での生物膜の形成の抑制方法であって、第一または第二の態様による組成物のコーティングを前記表面に適用し、前記組成物を乾燥させるか、前記組成物を風乾させる工程を含む方法を提供する。
【００３８】
好ましい実施態様によれば、前記表面はエアーコンディショニング表面、エアーコンディショニング冷却板、エアーコンディショニング冷却孔であってよく、あるいは手術室の非耐性表面であってよい。
【００３９】
幾つかの態様においては、前記組成物は表面上に焼き付けるかまたは高温で乾燥させる。
【００４０】
第五の態様によれば、本発明は、第一または第二の態様の組成物によって、あるいは第四の態様の方法によって処理した表面を提供する。
【発明を実施するための最良の形態】
【００４１】
ここに、本発明の様々な実施態様を、単に例示としてより詳しく説明する。
【００４２】
本発明における使用に適当な殺菌剤には、以下に限定されるものではないが、ＰＶＰまたはＰＶＰコポリマーと、トリクロサン；ジクロサン；ジクロロフェン；オルトフェニルフェノール；オルトベンジルパラクロロフェノール、クレゾール、キシロール、及び置換ジフェニルエーテルとの複合体が含まれる。
【実施例】
【００４３】
製剤の例：
製剤を、下記の実施例に示されるように調製した。
（実施例１）
スチレン／アクリルコポリマーエマルション（５０％固形分）      60.0% w/w
水                                                            28.5% w/w
N-メチルピロリドン                                            5.0% w/w
PVP/VA S-630                                                  5.0% w/w
トリクロサン                                                  1.5% w/w
【００４４】
（実施例２）
アクリルコポリマーエマルション（５０％固形分）                60.0% w/w
水                                                            28.5% w/w
N-メチルピロリドン                                            5.0% w/w
PVP/VA S-630                                                  5.0% w/w
トリクロサン                                                  1.5% w/w
【００４５】
（実施例３）
酢酸ビニル／アクリルコポリマーエマルション（５０％固形分）    60.0% w/w
水                                                            28.5% w/w
N-メチルピロリドン                                            5.0% w/w
PVP/VA S-630                                                  5.0% w/w
トリクロサン                                                  1.5%w/w
【００４６】
（実施例４）
アクリルコポリマーエマルション（５０％固形分）              30.0-50.0% w/w
エポキシ樹脂1001                                            10.0-20.0% w/w
プロピレングリコールメチルエーテルアセテート                10.0-20.0% w/w
PVP/VA S-630                                                 5.0% w/w
2-フェノキシエタノール                                       2.0-5.0% w/w
ノニルフェノールエトキシレートスルフェートアンモニウム塩     2-3.0% w/w
トリクロサン                                                 1.5%％w/w
水                                                          100% w/wとする残量
【００４７】
（実施例５）
アクリルコポリマー（エタノール中５０％活性溶液）              70.0% w/w
PVP/VA S-630                                                  5.0% w/w
トリクロサン                                                  1.5% w/w
エタノール                                                    23.5% w/w
PVP/VA S630は、ISP社より入手可能である。
【００４８】
シドニーにある大型シティビルのエアーコンディショニングシステムにおいて、冷却コイルを十分に清浄化した後、１２ヶ月の期間に亘り間隔をおいてモニターした。１ヶ月で前記冷却コイル上にはバイオマスの著しい成長が観察され、前記コイルはおよそ３ヶ月の間隔で清浄化を要した。前記コイルを再度清浄化し、このコイルの部分を実施例１乃至３による各製剤でコーティングした。前記コイルを間隔をおいて点検した。このコイルの表面のコーティング部分には、１２ヶ月後にも全く生物膜成長が観察されなかった。
【手続補正書】
【提出日】平成17年3月16日(2005.3.16)
【手続補正１】
【補正対象書類名】特許請求の範囲
【補正対象項目名】全文
【補正方法】変更
【補正の内容】
【特許請求の範囲】
【請求項１】
乾燥すると本質的に疎水性のフィルムを形成するフィルム形成性組成物を含み、且つ殺菌性複合体Ａ−Ｂを含み、ここでＡはフェノール性殺菌剤であり、Ｂはポリビニルピロリドン、ポリビニルピロリドンポリマー、ポリビニルピロリドンコポリマー、及びこれらの混合物から選択され、前記殺菌性複合体Ａ−Ｂが水溶性でない、殺菌性コーティング組成物。
【請求項２】
前記フィルム形成性組成物が、アクリルポリマーベースの組成物、メタクリルポリマーベースの組成物、アクリルコポリマーベースの組成物、メタクリルコポリマーベースの組成物、ビニルポリマーベースの組成物、ビニルコポリマーベースの組成物、エポキシ樹脂、エポキシエステル、及びこれらの混合物から選択される、請求項１に記載の殺菌性コーティング組成物。
【請求項３】
静菌特性を有する、請求項１に記載の殺菌性コーティング組成物。
【請求項４】
静真菌特性を有する、請求項１または２に記載の殺菌性コーティング組成物。
【請求項５】
前記フィルム形成性組成物が、エマルションもしくはラテックス組成物である、請求項１乃至４のいずれか一項に記載の殺菌性コーティング組成物。
【請求項６】
前記フィルム形成性組成物が、ポリマーもしくはコポリマー溶液である、請求項１乃至５のいずれか一項に記載の殺菌性コーティング組成物。
【請求項７】
前記フィルム形成性組成物が、ポリマーもしくはコポリマーエマルションである、請求項１乃至５のいずれか一項に記載の殺菌性コーティング組成物。
【請求項８】
前記フィルム形成性組成物が、水ベースのポリマーもしくはコポリマーエマルションである、請求項７に記載の殺菌性コーティング組成物。
【請求項９】
前記フィルム形成性組成物が、アクリルポリマーもしくはアクリルコポリマーであるかまたはこれを含む、請求項１乃至８のいずれか一項に記載の殺菌性コーティング組成物。
【請求項１０】
前記フィルム形成性組成物が、アクリル−スチレンコポリマーであるかまたはこれを含む、請求項１乃至９のいずれか一項に記載の殺菌性コーティング組成物。
【請求項１１】
前記フィルム形成性組成物が、エポキシもしくはエポキシエステルであるかまたはこれを含む、請求項１乃至１０のいずれか一項に記載の殺菌性コーティング組成物。
【請求項１２】
前記フィルム形成性組成物が、酢酸ビニルアクリルコポリマーを含む、請求項１乃至１１のいずれか一項に記載の殺菌性コーティング組成物。
【請求項１３】
前記フィルム形成性組成物が、混合物の３０乃至８０％ w/wの量で存在する、請求項１乃至１２のいずれか一項に記載の殺菌性コーティング組成物。
【請求項１４】
前記フィルム形成性組成物が、混合物の４０乃至７０％ w/wの量で存在する、請求項１乃至１３のいずれか一項に記載の殺菌性コーティング組成物。
【請求項１５】
前記フィルム形成性組成物が、混合物の５０乃至６０％ w/wの量で存在する、請求項１乃至１４のいずれか一項に記載の殺菌性コーティング組成物。
【請求項１６】
前記殺菌剤Ａが、トリクロサン；ジクロサン；ジクロロフェン；オルトフェニルフェノール；オルトベンジルパラクロロフェノール、クレゾール、キシロール、及び置換ジフェニルエーテルからなる群より選択される、請求項１乃至１５のいずれか一項に記載の殺菌性コーティング組成物。
【請求項１７】
前記殺菌剤Ａが、ハロゲン化フェノール性殺菌剤である、請求項１乃至１６のいずれか一項に記載の殺菌性コーティング組成物。
【請求項１８】
前記殺菌剤Ａが、トリクロサンである、請求項１乃至１７のいずれか一項に記載の殺菌性コーティング組成物。
【請求項１９】
前記殺菌剤Ａが、混合物の０．５乃至５％ w/wの量で存在する、請求項１乃至１８のいずれか一項に記載の殺菌性コーティング組成物。
【請求項２０】
前記殺菌剤Ａが、混合物の１乃至２％ w/wの量で存在する、請求項１乃至１９のいずれか一項に記載の殺菌性コーティング組成物。
【請求項２１】
前記殺菌剤Ａが、混合物の１．５％ w/wの量で存在する、請求項１乃至２０のいずれか一項に記載の殺菌性コーティング組成物。
【請求項２２】
前記Ｂが、ポリビニルピロリドンである、請求項１乃至２１のいずれか一項に記載の殺菌性コーティング組成物。
【請求項２３】
前記Ｂが、ポリビニルピロリドン／酢酸ビニルコポリマーである、請求項１乃至２２のいずれか一項に記載の殺菌性コーティング組成物。
【請求項２４】
前記Ｂが、混合物の２乃至１０％の量で存在する、請求項１乃至２３のいずれか一項に記載の殺菌性コーティング組成物。
【請求項２５】
前記Ｂが、混合物の３乃至８％の量で存在する、請求項１乃至２４のいずれか一項に記載の殺菌性コーティング組成物。
【請求項２６】
前記Ｂが、混合物の約５％の量で存在する、請求項１乃至２５のいずれか一項に記載の殺菌性コーティング組成物。
【請求項２７】
混合物の２５乃至４０％の量で溶媒を含む、請求項１乃至２６のいずれか一項に記載の殺菌性組成物。
【請求項２８】
前記溶媒が、混合物の２５乃至３５％の量で存在する、請求項２７に記載の殺菌性組成物。
【請求項２９】
前記溶媒が、水である、請求項２７または２８に記載の殺菌性組成物。
【請求項３０】
請求項２７乃至２９のいずれか一項に記載の殺菌性組成物であって、該コーティング組成物の溶媒よりも高沸点を有する水溶性極性溶媒をさらに含む組成物。
【請求項３１】
前記高沸点極性溶媒が、ポリマーエマルションまたはラテックス中での前記複合体Ａ−Ｂの分散を補助する、請求項３０に記載の殺菌性組成物。
【請求項３２】
前記水溶性極性溶媒が、N-メチルピロリドン、グリコールエーテル、及びこれらの混合物から選択される、請求項３０または３１に記載の殺菌性組成物。
【請求項３３】
請求項１乃至３２のいずれか一項に記載の殺菌性コーティング組成物のフィルムもしくは薄膜を乾燥させる工程によって形成される、殺菌性コーティング。
【請求項３４】
１年以上に亘ってその表面上での生物膜成長の予防に有効である、請求項３３に記載の殺菌性コーティング。
【請求項３５】
３年以上に亘ってその表面上での生物膜成長の予防に有効である、請求項３４に記載の殺菌性コーティング。
【請求項３６】
金属に適用される、請求項３３乃至３５のいずれか一項に記載の殺菌性コーティング。
【請求項３７】
コンクリートもしくはセメント表面に適用される、請求項３３乃至３５のいずれか一項に記載の殺菌性コーティング。
【請求項３８】
木材表面に適用される、請求項３３乃至３５のいずれか一項に記載の殺菌性コーティング。
【請求項３９】
装飾性コーティングの形態である、請求項３３乃至３８のいずれか一項に記載の殺菌性コーティング。
【請求項４０】
カビ成長を予防する塗料の形態である、請求項３３乃至３９のいずれか一項に記載の殺菌性コーティング。
【請求項４１】
懸濁剤、チキソトロピー剤、フローもしくは粘度調整剤、保存料などからなる群より選択される塗料成分をさらに含む塗料の形態である、請求項３３乃至４０のいずれか一項に記載の殺菌性コーティング。
【請求項４２】
腐食抑制剤からなる群より選択される塗料成分をさらに含む塗料の形態である、請求項３３乃至４１のいずれか一項に記載の殺菌性コーティング。
【請求項４３】
顔料をさらに含む塗料の形態である、請求項３３乃至４２のいずれか一項に記載の殺菌性コーティング。
【請求項４４】
生物膜形成に非耐性である表面上における生物膜形成の抑制方法であって、前記表面への請求項１乃至１３のいずれか一項に記載の組成物のコーティングを適用する工程、及び前記組成物を乾燥させるもしくは風乾させる工程を含む方法。
【請求項４５】
前記表面が、エアーコンディショニング表面である、請求項４４に記載の方法。
【請求項４６】
前記表面が、エアーコンディショニング冷却板である、請求項４４に記載の方法。
【請求項４７】
前記表面が、エアーコンディショニング冷却孔である、請求項４４に記載の方法。
【請求項４８】
前記表面が、手術室の非耐性表面である、請求項４４に記載の方法。
【請求項４９】
前記組成物を、前記表面に焼き付けするかまたは高温で乾燥させる、請求項４４乃至４８のいずれか一項に記載の方法。
【請求項５０】
請求項１乃至３３のいずれか一項に記載の組成物を用いて、または請求項４４乃至４９のいずれか一項に記載の方法に従って処理された表面。
【手続補正２】
【補正対象書類名】明細書
【補正対象項目名】００１１
【補正方法】変更
【補正の内容】
【００１１】
第一の態様によれば、本発明は、乾燥すると本質的に疎水性のフィルムを形成するフィルム形成性組成物を含み、且つ殺菌性複合体Ａ−Ｂ（ここでＡはフェノール性殺菌剤であり、Ｂはポリビニルピロリドン、ポリビニルピロリドンポリマー、ポリビニルピロリドンコポリマー、及びこれらの混合物から選択される）を含み、前記殺菌性複合体Ａ−Ｂが水溶性でない、殺菌性コーティング組成物を提供する。
当業者には、「水溶性でない」との記載が、当該組成物が使用される温度において水溶性でないことを意味すると理解されることを前提とする。
【国際調査報告】
2007533781.tif 000002
2007533781.tif 000003